(57)【特許請求の範囲】
【請求項１】
複数の蓄電池を制御する少なくとも１つのパワーコンディショナから集合住宅の複数の住戸に供給される電力を制御する電力制御装置であって、
前記複数の住戸の各々は、前記複数の蓄電池の少なくとも１つと関連付けられており、
前記複数の住戸の各々から、当該住戸と関連付けられた前記蓄電池の出力電流または出力電力に関する出力要求を受け付ける要求入力部と、
前記少なくとも１つのパワーコンディショナに対して、前記複数の住戸の各々から受け付けた前記出力要求に応じた電流または電力が前記複数の蓄電池の各々から出力されるように指示する指示部と、
前記複数の蓄電池の各々の電池残量の入力を受け付ける電池残量入力部と、
前記複数の蓄電池の各々について、当該蓄電池の前記電池残量の時間変化量に基づいて、当該蓄電池の前記電池残量が基準残量値に到達する時間を算出する時間算出部と、
前記複数の蓄電池のうち前記時間が最も長い蓄電池を、前記複数の蓄電池のうち使用不可能な状態の前記蓄電池の代替蓄電池として選択する選択部と、を含み、
前記指示部は、使用不可能な状態の前記蓄電池に関連付けられた前記住戸を表わす特定住戸から受け付けた前記出力要求に基づいて、電流または電力が前記代替蓄電池から出力されるように前記少なくとも１つのパワーコンディショナに指示する、電力制御装置。
【請求項２】
使用不可能な状態の前記蓄電池が使用可能な状態に復帰した場合、前記指示部は、前記代替蓄電池に関連付けられた前記住戸から受け付けた前記出力要求に基づいて、電流または電力が当該復帰した前記蓄電池から出力されるように前記少なくとも１つのパワーコンディショナに指示する、請求項１に記載の電力制御装置。
【請求項３】
複数の蓄電池と、
前記複数の蓄電池を制御する少なくとも１つのパワーコンディショナと、
前記少なくとも１つのパワーコンディショナから集合住宅の複数の住戸に供給される電力を制御する電力制御装置とを備え、
前記複数の住戸の各々は、前記複数の蓄電池の少なくとも１つと関連付けられており、
前記電力制御装置は、
前記複数の住戸の各々から、当該住戸と関連付けられた前記蓄電池の出力電流または出力電力に関する出力要求を受け付ける要求入力部と、
前記少なくとも１つのパワーコンディショナに対して、前記複数の住戸の各々から受け付けた前記出力要求に応じた電流または電力が前記複数の蓄電池の各々から出力されるように指示する指示部と、
前記複数の蓄電池の各々の電池残量の入力を受け付ける電池残量入力部と、
前記複数の蓄電池の各々について、当該蓄電池の前記電池残量の時間変化量に基づいて、当該蓄電池の前記電池残量が基準残量値に到達する時間を算出する時間算出部と、
前記複数の蓄電池のうち前記時間が最も長い蓄電池を、前記複数の蓄電池のうち使用不可能な状態の前記蓄電池の代替蓄電池として選択する選択部と、を含み、
前記指示部は、使用不可能な状態の前記蓄電池に関連付けられた前記住戸を表わす特定住戸から受け付けた前記出力要求に基づいて、電流または電力が前記代替蓄電池から出力されるように前記少なくとも１つのパワーコンディショナに指示する、電力システム。
【発明の詳細な説明】
【技術分野】
【０００１】
本開示は、集合住宅の複数の住戸に供給される電力を制御する技術に関する。
【背景技術】
【０００２】
従来、戸建て住宅だけでなく、マンション、アパートなどの集合住宅においても、系統電源からの電力を蓄える蓄電池が用いられている。
【０００３】
たとえば、特開２０１４−８２８７７号公報（特許文献１）は、集合住宅の受給電システムを開示している。当該システムは、受電部により電気自動車から受電した電力を各々伝送する独立した第１の電源ラインと、複数の居室に給電する電力を各々伝送する独立した第２の電源ラインと、入力側に第１の電源ライン、および商用交流電源伝送用の主電源ラインが接続され、出力側に第２の電源ラインが接続されたスイッチマトリクスを含む給電制御部とを有している。当該システムでは、各居室の居住者がＩＤ（Identification）カードを用いた認証処理を行ない、第１の電源ラインの１つと認証処理により特定された居室に向かう第２の電源ラインを接続するようスイッチマトリクスが制御され、受電部と接続された電気自動車の電力が当該居室に給電される。
【先行技術文献】
【特許文献】
【０００４】
【特許文献１】特開２０１４−８２８７７号公報
【発明の概要】
【発明が解決しようとする課題】
【０００５】
特許文献１の受給電システムでは、スイッチマトリクスを用いて特定の電気自動車から特定の居室内の負荷に給電するように構成されている。そのため、特定の居室内の負荷に対して、特定の電気自動車以外の電気自動車からの電力を供給するといった電力融通を行なうことができない。また、スイッチマトリクスを用いることにより、各種の電源ラインを用意する必要があるなどシステム構成が複雑になるとともに、コストが増大し、信頼性が低下してしまうという問題がある。
【０００６】
本開示は、上記のような問題点を解決するためになされたものであって、ある局面における目的は、集合住宅の複数の住戸に対して、複数の蓄電池からの電力を簡易かつ適切に供給することが可能な電力制御装置、および電力システムを提供することを目的とする。
【課題を解決するための手段】
【０００７】
ある実施の形態に従うと、複数の蓄電池を制御する少なくとも１つのパワーコンディショナから集合住宅の複数の住戸に供給される電力を制御する電力制御装置が提供される。複数の住戸の各々は、複数の蓄電池の少なくとも１つと関連付けられている。電力制御装置は、複数の住戸の各々から、当該住戸と関連付けられた蓄電池の出力電流または出力電力に関する出力要求を受け付ける要求入力部と、少なくとも１つのパワーコンディショナに対して、複数の住戸の各々から受け付けた出力要求に応じた電流または電力が複数の蓄電池の各々から出力されるように指示する指示部とを含む。
【発明の効果】
【０００８】
本開示によると、集合住宅の複数の住戸に対して、複数の蓄電池からの電力を簡易かつ適切に供給することが可能となる。
【図面の簡単な説明】
【０００９】
【図１】実施の形態１に従う電力システムの全体構成を示す模式図である。
【図２】実施の形態１に従うパワーコンディショナの構成を説明するための図である。
【図３】住戸の消費電流に対する蓄電池の出力電流の比率を説明するための図である。
【図４】実施の形態１に従う電力制御装置の機能構成を示す模式図である。
【図５】実施の形態１に従う電力制御装置の処理手順（その１）を示すフローチャートである。
【図６】実施の形態１に従う電力制御装置の処理手順（その２）を示すフローチャートである。
【図７】実施の形態２に従う電力制御装置の機能構成を示す模式図である。
【図８】電池残量と消費電流の基準値との関係性を説明するための図である。
【図９】実施の形態２に従う情報テーブルを示す図である。
【図１０】実施の形態２に従う電力制御装置の処理手順（その１）を示すフローチャートである。
【図１１】実施の形態２に従う電力制御装置の処理手順（その２）を示すフローチャートである。
【図１２】電池残量と消費電流量の基準値との関係性を説明するための図である。
【図１３】実施の形態３に従う電力制御装置の機能構成を示す模式図である。
【図１４】複数の蓄電池の電池残量、時間変化量および電池残量が基準残量値に到達するまでの時間を示す図である。
【図１５】実施の形態３に従う電力制御装置の処理手順を示すフローチャートである。
【図１６】実施の形態４に従う電力制御装置の機能構成を示す模式図である。
【図１７】実施の形態４に従う情報テーブルを示す図である。
【図１８】実施の形態４に従う情報テーブルを示す図である。
【図１９】実施の形態４に従う電力制御装置の処理手順を示すフローチャートである。
【発明を実施するための形態】
【００１０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１１】
［実施の形態１］
＜システムの全体構成＞
まず、実施の形態１に従う電力システムの全体構成について説明する。
【００１２】
図１は、実施の形態１に従う電力システムの全体構成を示す模式図である。図１は、複数の住戸９（たとえば、図１には住戸９Ａ〜住戸９Ｃを図示）から構成される集合住宅の一例であるマンション１１に用いられる電力システムを示している。
【００１３】
図１を参照して、電力システムは、パワーコンディショナ２Ａ〜２Ｃ（以下、「パワーコンディショナ２」とも総称する。）と、分電盤３と、電流センサ４Ａ〜４Ｃ（以下、「電流センサ４」とも総称する。）と、蓄電池５Ａ〜５Ｃ（以下、「蓄電池５」とも総称する。）と、系統電源６と、電流センサ８Ａ〜８Ｃ（以下、「電流センサ８」とも総称する。）と、電力制御装置１０とを含む。
【００１４】
パワーコンディショナ２は、交流電力線７から交流電力を取り込んで蓄電池５に充電する一方で、蓄電池５からの直流電力を交流電力線７に供給（放電）することができる。なお、パワーコンディショナ２の具体的な構成については後述する。
【００１５】
分電盤３は、系統電源６およびパワーコンディショナ２から供給される電力をマンション１１内の各住戸９に分配する。分電盤３は、系統電源６、各パワーコンディショナ２および各住戸９に接続される。たとえば、分電盤３は、電力制御装置１０の指示に従って、系統電源６からの電力よりもパワーコンディショナ２からの電力を優先して各住戸９に供給するように制御する。分電盤３は、各住戸９の電力消費量が規定値を超える場合には遮断するように構成されている。
【００１６】
電流センサ４は、パワーコンディショナ２および蓄電池５の間に設けられる。電流センサ４は、蓄電池５に流れる電流を検出し、その検出結果を電力制御装置１０に送信する。電流センサ４の検出結果には蓄電池５の充放電電流値が含まれる。電流センサ４は、パワーコンディショナ２に含まれる構成であってもよい。
【００１７】
蓄電池５は、再充電可能な電力貯蔵要素であり、代表的にリチウムイオン電池やニッケル水素電池などの二次電池で構成される。蓄電池５は、複数の電池セルを直列接続して構成されている。なお、蓄電池５は、電気自動車、ハイブリッド車などの移動手段に搭載されている蓄電池として構成されていてもよい。
【００１８】
系統電源６は、たとえば、商用電力系統であり、交流電力線７および分電盤３を介して単相３線式の交流電力をマンション１１の各住戸９に供給する。交流電力線７は、単相３線式の電力線であり、２つの電圧線と中性線とを含む。
【００１９】
電流センサ８は、分電盤３および住戸９の間に設けられる。電流センサ８は、住戸９に流れる電流（すなわち、消費電流）を検出し、その検出結果を電力制御装置１０に送信する。電流センサ８の検出結果には消費電流値が含まれる。
【００２０】
住戸９内には、複数の電気機器が設けられている。電気機器は、たとえば、ＡＣ１００Ｖ用の扇風機、掃除機、冷蔵庫、またはＡＣ２００Ｖ用のエアコンなどである。なお、電気機器は、これに限らず、テレビ、パソコン、電子レンジなどであってもよい。
【００２１】
電力制御装置１０は、各蓄電池５からパワーコンディショナ２を介してマンション１１内の複数の住戸９に供給される電力を制御する。具体的には、電力制御装置１０は、各住戸９からの要求、電流センサ４および電流センサ８の検出結果などに基づいてパワーコンディショナ２に指示を与えることにより、各蓄電池５から出力（供給）される電流または電力を制御する。
【００２２】
本実施の形態では、住戸９Ａ〜９Ｃは、それぞれ蓄電池５Ａ〜５Ｃと関連付けられている。たとえば、住戸９Ａのユーザが蓄電池５Ａを所有しており、住戸９Ｂのユーザが蓄電池５Ｂを所有しており、住戸９Ｃのユーザが蓄電池５Ｃを所有している場合が想定される。そのため、電力制御装置１０は、たとえば、住戸９Ａからの要求に応じて、蓄電池５Ａから出力される電流または電力を制御する。電力制御装置１０の具体的な制御方式については後述する。なお、電力制御装置１０は、回路等のハードウェアで実現されてもよいし、図示しないＣＰＵ（Central  Processing  Unit）を含み、ＣＰＵが図示しないメモリに格納されたデータおよびプログラムを実行することによって実現される構成であってもよい。
【００２３】
次に、図２を参照しながら、パワーコンディショナ２の構成について具体的に説明する。図２は、実施の形態１に従うパワーコンディショナ２の構成を説明するための図である。なお、以下では、複数のパワーコンディショナ２のうち、１つのパワーコンディショナ２Ａに着目して説明する。ただし、パワーコンディショナ２Ａ以外のパワーコンディショナ２Ｂ，２Ｃ（および図示しない他のパワーコンディショナ２）の構成は、パワーコンディショナ２Ａの構成と同じである。
【００２４】
図２を参照して、パワーコンディショナ２Ａは、パワーコンディショナ２Ａの動作を制御するための制御装置２０と、直流電力と交流電力とを双方向に変換する双方向ＤＣ／ＡＣ変換器２２と、双方向に直流電力の電圧変換が可能な双方向ＤＣ／ＤＣ変換器２４と、連系リレーＲＬ１と、自立リレーＲＬ２とを含む。
【００２５】
連系リレーＲＬ１は、パワーコンディショナ２Ａが系統電源６と連系してマンション１１内の各住戸９に交流電力を供給する（連系運転する）場合に閉成（オン）状態となる。自立リレーＲＬ２は、パワーコンディショナ２Ａが系統電源６から自立して各住戸９に交流電力を供給する（自立運転する）場合に閉成（オン）状態となる。典型的には、制御装置２０は、連系リレーＲＬ１および自立リレーＲＬ２の開閉動作を制御する。
【００２６】
双方向ＤＣ／ＤＣ変換器２４は、蓄電池５Ａから受けた直流電力を電圧変換して双方向ＤＣ／ＡＣ変換器２２に供給する。また、双方向ＤＣ／ＤＣ変換器２４は、双方向ＤＣ／ＡＣ変換器２２から受けた直流電力を電圧変換して蓄電池５Ａに供給する。
【００２７】
双方向ＤＣ／ＡＣ変換器２２は、双方向ＤＣ／ＤＣ変換器２４から受けた直流電力を単相３線式の交流電力に変換して、その交流電力を交流電力線７（配線７２または配線７３）に供給する。また、双方向ＤＣ／ＡＣ変換器２２は、交流電力線７から受けた交流電力を直流電力に変換して双方向ＤＣ／ＤＣ変換器２４に供給する。
【００２８】
制御装置２０は、パワーコンディショナ２Ａの動作を制御する。制御装置２０は、回路等のハードウェアで実現されてもよいし、図示しないＣＰＵを含み、ＣＰＵが図示しないメモリに格納されたデータおよびプログラムを実行することによって実現される構成であってもよい。
【００２９】
制御装置２０は、配線７２，７３に設けられた図示しない電流センサおよび電圧センサからそれぞれ受けた電流値および電圧値に基づいて、双方向ＤＣ／ＡＣ変換器２２および双方向ＤＣ／ＤＣ変換器２４に動作指示を行なう。典型的には、制御装置２０は、蓄電池５Ａからパワーコンディショナ２Ａを介して交流電力線７に出力（放電）される電流（または電力）が、電力制御装置１０からの指示に従う電流値（または電力値）になるように制御する。
【００３０】
たとえば、制御装置２０は、蓄電池５Ａから１０Ａ（アンペア）の電流を出力するように電力制御装置１０から指示を受けた場合には、当該指示に従って蓄電池５Ａから出力される電流が１０Ａになるように制御する。そして、パワーコンディショナ２Ａから１０Ａの電流が交流電力線７に出力される。なお、本実施の形態では、説明の容易化のため、電力変換に伴う電力損失は考慮しないものとする。
【００３１】
交流電力線７は、分電盤３を介して、パワーコンディショナ２Ａおよびマンション１１に配線される。すなわち、交流電力線７は、パワーコンディショナ２Ａ、系統電源６およびマンション１１を互いに接続するための電力線である。より具体的には、交流電力線７は、系統電源６とスイッチＳＷａとを接続する配線７１と、スイッチＳＷａとマンション１１とを接続する配線７５と、配線７１に接続される配線７２と、配線７５に接続される配線７３とを含む。配線７２は、パワーコンディショナ２Ａの連系リレーＲＬ１に接続される。配線７３は、パワーコンディショナ２Ａの自立リレーＲＬ２に接続される。
【００３２】
分電盤３は、スイッチＳＷａと、スイッチＳＷｂとを含む。スイッチＳＷａは配線７１および配線７５の間に設けられており、スイッチＳＷｂは配線７３上に設けられている。
【００３３】
ここで、系統電源６が停電していない場合には、パワーコンディショナ２Ａは系統電源６と連系運転する。この場合、スイッチＳＷａは閉成（オン）状態、スイッチＳＷｂは開放（オフ）状態となっている。典型的には、スイッチＳＷａ，ＳＷｂの開閉動作は、パワーコンディショナ２Ａの制御装置２０によって制御される。
【００３４】
パワーコンディショナ２Ａは、連系リレーＲＬ１をオン状態（および自立リレーＲＬ２をオフ状態）にして、系統電源６と連系される。パワーコンディショナ２Ａは、系統電源６の交流電圧に同期して蓄電池５Ａからの放電電流、蓄電池５Ａへの充電電流を制御して、蓄電池５Ａから放電させたり、蓄電池５Ａに充電したりすることが可能である。
【００３５】
これに対して、パワーコンディショナ２Ａは、系統電源６の停電を検出した場合、スイッチＳＷａをオフ状態、スイッチＳＷｂをオン状態、連系リレーＲＬ１をオフ状態、自立リレーＲＬ２をオン状態にする。これにより、パワーコンディショナ２Ａおよびマンション１１は、系統電源６から解列される。このとき、パワーコンディショナ２Ａは、連系運転から自立運転に切り替わり、蓄電池５Ａの充放電を制御する。
【００３６】
＜システムの動作概要＞
再び、図１を参照しながら実施の形態１に従う電力システムの動作概要について説明する。上述したように、住戸９Ａ〜９Ｃは、それぞれ蓄電池５Ａ〜５Ｃと関連付けられている。電力制御装置１０は、各住戸９を識別するための住戸識別情報（以下「住戸ＩＤ」と称する。）と、各蓄電池５を識別するための蓄電池識別情報（以下「蓄電池ＩＤ」と称する。）とを関連付けて内部メモリに記憶している。本実施の形態では、住戸９Ａ〜９Ｃの住戸ＩＤ「１」〜「３」は、それぞれ蓄電池５Ａ〜５Ｃの蓄電池ＩＤ「１」〜「３」に関連付けられて記憶されている。
【００３７】
実施の形態１では、住戸９Ａ〜９Ｃのそれぞれのユーザ（住人）は、自分の住戸９に関連付けられた蓄電池５に対してのみ、電流（または電力）の出力要求を行なうことができるものとする。ここで、電力制御装置１０が、蓄電池５Ａの出力電流を１０Ａ（アンペア）にするように住戸９Ａのユーザから要求を受け、蓄電池５Ｂの出力電流を６Ａにするように住戸９Ｂのユーザから要求を受け、蓄電池５Ｃの出力電流を４Ａにするように住戸９Ｃのユーザから要求を受けたとする。なお、住戸９のユーザは、所有するタブレット装置などを用いて、当該要求を電力制御装置１０に送信する。なお、タブレット装置は、たとえば、ＣＰＵ、メモリ、タッチパネル、無線通信部などを有する公知のハードウェア装置である。
【００３８】
この場合、電力制御装置１０は、蓄電池５Ａの出力電流を１０Ａにするようにパワーコンディショナ２Ａに指示し、蓄電池５Ｂの出力電流を６Ａにするようにパワーコンディショナ２Ｂに指示し、蓄電池５Ｃの出力電流を４Ａにするようにパワーコンディショナ２Ｃに指示する。
【００３９】
各パワーコンディショナ２は、当該指示に従って蓄電池５の出力電流を制御する。そのため、蓄電池５Ａ〜５Ｃの出力電流の合計値である２０Ａの電流に、系統電源６から供給される電流を加えた電流が分電盤３に供給され、マンション１１内の各住戸９に分配される。この場合、各住戸９で消費された電流（消費電流）のうち、各住戸９のユーザが要求した電流分は、住戸９に関連付けられた蓄電池５から供給されたものとみなすことができる。住戸９Ｂのユーザが要求した蓄電池５Ｂの出力電流は６Ａであるため、たとえば、住戸９Ｂで１０Ａの電流が消費されていた場合には、６Ａ分の電流が蓄電池５Ｂから供給されたものとみなし、４Ａ分の電流が系統電源６から供給されたものとみなすことができる。ただし、蓄電池５の出力電流の上限値は、定格電流値であるとする。
【００４０】
（変形例）
上記では、各住戸９のユーザが、各蓄電池５の出力電流を具体的な値で要求する構成について説明した。ここでは、住戸９の消費電流に対する蓄電池５の出力電流の比率Ｒを当該住戸９のユーザが要求する構成について説明する。
【００４１】
図３は、住戸９の消費電流に対する蓄電池５の出力電流の比率Ｒを説明するための図である。なお、以下では、複数の住戸９のうち、１つの住戸９Ａに着目して説明する。図３の例では、住戸９Ａの消費電流値が１００Ａである。この消費電流値（１００Ａ）は電流センサ８Ａにより検出され、電力制御装置１０に検出値として送信される。
【００４２】
ユーザが住戸９Ａのすべての消費電流を蓄電池５の出力電流で融通したい場合には、図３（ａ）に示すように、ユーザはタブレット装置を用いて比率Ｒを１００％に設定する。そして、タブレット装置から当該比率Ｒが電力制御装置１０に送信される。電力制御装置１０は、電流センサ８Ａから受けた消費電流値（１００Ａ）と住戸９から受けた比率Ｒ（１００％）とに基づいて、蓄電池５の出力電流値を算出（この場合、１００Ａ）する。そして、電力制御装置１０は、蓄電池５Ａの出力電流値を１００Ａにするようにパワーコンディショナ２Ａに指示する。
【００４３】
これに対して、ユーザが住戸９Ａの消費電流のうちの７５％を蓄電池５の出力電流で融通したい場合には、図３（ｂ）に示すように、ユーザはタブレット装置を用いて比率Ｒを７５％に設定し、当該比率Ｒを電力制御装置１０に要求する。電力制御装置１０は、電流センサ８Ａから受けた消費電流値（１００Ａ）と住戸９Ａから受けた比率Ｒ（７５％）とに基づいて、蓄電池５Ａの出力電流値を算出する（この場合、７５Ａ）。そして、電力制御装置１０は、蓄電池５Ａの出力電流値を７５Ａにするようにパワーコンディショナ２Ａに指示する。この場合には、住戸９Ａの消費電流のうち、７５Ａ分の電流が蓄電池５Ａから供給されたものとみなされ、２５Ａ分の電流が系統電源６から供給されたものとみなされる。
【００４４】
上記では、住戸９のユーザが、蓄電池５の出力電流に関する要求を行なう構成について説明したが、蓄電池５の出力電力に関する要求を行なうように構成されていてもよい。具体的には、ユーザは、蓄電池５の出力電力が所望の電力値になるように要求するか、あるいは、住戸９の消費電力に対する蓄電池５の出力電力の比率Ｒｘを要求する。この場合には、電流センサ４の代わりに、蓄電池５の出力電力を検出する電力センサが設けられ、当該電力センサにより検出された電力が電力制御装置１０に送信される。また、電流センサ８の代わりに、住戸９の消費電力を検出する電力センサが設けられ、当該電力センサにより検出された電力が電力制御装置１０に送信される。なお、電力センサは、電流センサおよび電圧センサで構成されていてもよい。
【００４５】
＜電力制御装置１０Ａの機能構成＞
図４は、実施の形態１に従う電力制御装置１０Ａの機能構成を示す模式図である。図４を参照して、電力制御装置１０Ａは、要求入力部１０１Ａと、消費値入力部１０２Ａと、指示部１０３Ａと、出力値入力部１０４Ａと、出力判断部１０５Ａとを含む。これらは、基本的には、電力制御装置１０ＡのＣＰＵがメモリに格納されたプログラムを実行することによって実現される。なお、これらの機能構成の一部または全部は、ハードウェアで実現されていてもよい。電力制御装置１０Ａは、図１に示す電力制御装置１０と対応しているが、他の実施の形態との区別のため、便宜上「Ａ」といった追加の符号を付している。これは、実施の形態２〜４においても同様である。
【００４６】
要求入力部１０１Ａは、複数の住戸９の各々から、当該住戸９と関連付けられた蓄電池５の出力電流または出力電力に関する出力要求を受け付ける。具体的には、要求入力部１０１Ａは、蓄電池５の出力電流に関する出力要求として、蓄電池５の出力電流の要求値、または住戸９の消費電流値に対する蓄電池５の出力電流値の比率Ｒを受け付ける。要求入力部１０１Ａは、蓄電池５の出力電力に関する出力要求として、蓄電池５の出力電力の要求値、または住戸９の消費電力値に対する蓄電池５の出力電力値の比率Ｒｘを受け付ける。要求入力部１０１Ａは、複数の住戸９の各々から受け付けた出力要求を指示部１０３Ａに送出する。
【００４７】
消費値入力部１０２Ａは、複数の住戸９の各々について、当該住戸９の消費電流または消費電力の検出値（消費検出値）の入力を受け付ける。具体的には、消費値入力部１０２Ａは、電流センサ８Ａ〜８Ｃにより検出された住戸９Ａ〜９Ｃの消費電流値の入力を受け付ける（受信する）。または、電流センサ８の代わりに電力センサが設けられている場合には、消費値入力部１０２Ａは、各電力センサにより検出された住戸９Ａ〜９Ｃの各消費電力値の入力を受け付ける。消費値入力部１０２Ａは、当該受け付けた消費検出値を指示部１０３Ａに送出する。
【００４８】
指示部１０３Ａは、パワーコンディショナ２に対して、複数の住戸９の各々から受け付けた出力要求に応じた電流または電力が複数の蓄電池５の各々から出力されるように指示する。指示部１０３Ａは、各蓄電池５から出力される電流が、要求入力部１０１Ａから受信した各蓄電池５の出力電流値になるように、各パワーコンディショナ２に指示する。または、指示部１０３Ａは、各蓄電池５から出力される電力が、要求入力部１０１Ａから受信した各蓄電池５の出力電力値になるように、各パワーコンディショナ２に指示する。
【００４９】
他の局面では、指示部１０３Ａは、各住戸９について、当該住戸９から受け付けた比率Ｒと当該住戸９の消費電流値とに基づいて、当該住戸９に関連付けられた蓄電池５の出力電流値を算出する。指示部１０３Ａは、当該蓄電池５から出力される電流が当該算出した出力電流値になるように、パワーコンディショナ２に指示する。
【００５０】
また、指示部１０３Ａは、各住戸９について、当該住戸９から受け付けた比率Ｒｘと当該住戸９の消費電力値とに基づいて、当該住戸９に関連付けられた蓄電池５の出力電力値を算出する。指示部１０３Ａは、当該蓄電池５から出力される電力が当該算出した出力電力値になるように、パワーコンディショナ２に指示する。
【００５１】
出力値入力部１０４Ａは、各蓄電池５について、当該蓄電池５の出力電流または出力電力の検出値（出力検出値）の入力を受け付ける。具体的には、出力値入力部１０４Ａは、電流センサ４Ａ〜４Ｃにより検出された蓄電池５Ａ〜５Ｃの出力電流値の入力を受け付ける。また、電流センサ４の代わりに電力センサが設けられている場合には、出力値入力部１０４Ａは、各電力センサにより検出された蓄電池５Ａ〜５Ｃの出力電力値の入力を受け付ける。出力値入力部１０４Ａは、当該受け付けた出力検出値を出力判断部１０５Ａに送出する。
【００５２】
出力判断部１０５Ａは、各蓄電池５についての出力検出値に基づいて、各住戸９から受け付けた出力要求に応じた電流または電力が各蓄電池５から出力されているか否かを判断する。具体的には、出力判断部１０５Ａは、指示部１０３Ａがパワーコンディショナ２に対して指示した各蓄電池５の出力電流値または出力電力値（指示値）を受信する。出力判断部１０５Ａは、各蓄電池５について、出力検出値と指示値とが一致しているか否かを判断する。
【００５３】
出力判断部１０５Ａは、蓄電池５についての出力検出値と指示値とが一致している場合には、出力要求に応じた電流または電力が当該蓄電池５から出力されていると判断する。出力判断部１０５Ａは、蓄電池５についての出力検出値と指示値とが一致していない場合には、出力要求に応じた電流または電力が当該蓄電池５から出力されていないと判断する。なお、本実施の形態において、出力検出値と指示値とが「一致する」とは、両者が完全に一致することのみならず、互いの値の一致度合いが一定の範囲内（たとえば、誤差が数％未満）である場合を含む。当該一定の範囲内は、ユーザによって任意に定めることができる。出力判断部１０５Ａは、判断結果を指示部１０３Ａに送出する。
【００５４】
指示部１０３Ａは、出力要求に応じた電流または電力が当該蓄電池５から出力されていない場合、当該蓄電池５からの出力を停止させる指示をパワーコンディショナ２に与える。たとえば、出力要求に応じた電流が蓄電池５Ｂから出力されていない場合には、指示部１０３Ａは、蓄電池５Ｂからの電流の出力を停止させるようにパワーコンディショナ２Ｂに指示する。
【００５５】
＜処理手順＞
実施の形態１に従う電力制御装置１０Ａの処理手順について説明する。なお、ここでは、説明の容易化のため、電力制御装置１０Ａが住戸９Ａから蓄電池５Ａに対する出力要求を受け付け、パワーコンディショナ２Ａに指示を与える場合について説明する。ただし、電力制御装置１０Ａが住戸９Ｂ，９Ｃから出力要求を受け付ける場合にも、以下に説明する処理と同様の処理が行われる。
【００５６】
（その１）
図５は、実施の形態１に従う電力制御装置１０Ａの処理手順（その１）を示すフローチャートである。ここでは、電力制御装置１０Ａが出力要求として出力電流値を受け付ける場合について説明する。ただし、電力制御装置１０Ａが出力要求として出力電力値を受け付ける場合にも、以下の処理において「電流」を「電力」に置き換えた同様の処理が行われる。なお、以下の各ステップは、電力制御装置１０ＡのＣＰＵがメモリに格納されたプログラムを実行することによって実現される。
【００５７】
図５を参照して、電力制御装置１０Ａは、住戸９Ａから出力要求として蓄電池５Ａの出力電流の要求値を受信したか否かを判断する（ステップＳ２）。電力制御装置１０Ａは、当該要求値を受信していない場合には（ステップＳ２においてＮＯ）、ステップＳ２の処理を繰り返す。一方、電力制御装置１０Ａは、当該要求値を受信した場合には（ステップＳ２においてＹＥＳ）、消費値入力部１０２Ａの機能により住戸９Ａの消費検出値（ここでは、消費電流値）を受信したか否かを判断する（ステップＳ３）。消費電流値を受信していない場合には（ステップＳ３においてＮＯ）、電力制御装置１０ＡはステップＳ３の処理を繰り返す。
【００５８】
一方、電力制御装置１０Ａは、消費電流値を受信した場合には（ステップＳ３においてＹＥＳ）、要求値が定格電流値以上か否かを判断する（ステップＳ４）。なお、定格電流値は、電力制御装置１０のメモリに記憶されている。当該要求値が定格電流値以上の場合には（ステップＳ４においてＹＥＳ）、電力制御装置１０Ａは、当該要求値を定格電流値に変更して（ステップＳ６）、ステップＳ１２の処理に進む。当該要求値が定格電流値未満の場合には（ステップＳ４においてＮＯ）、電力制御装置１０Ａは、当該要求値がステップＳ３で受信した消費電流値以上か否かを判断する（ステップＳ８）。
【００５９】
当該要求値が消費電流値以上（かつ定格電流値未満）の場合には（ステップＳ８においてＹＥＳ）、電力制御装置１０Ａは、当該要求値を消費電流値に変更して（ステップＳ１０）、ステップＳ１２の処理に進む。当該要求値が消費電流値未満の場合には（ステップＳ８においてＮＯ）、電力制御装置１０ＡはステップＳ１２の処理に進む。すなわち、要求値が消費電流値未満の場合には、電力制御装置１０Ａは当該要求値を変更しない。
【００６０】
次に、電力制御装置１０Ａは、当該要求値（変更された要求値、または変更されなかった要求値）に応じた電流が蓄電池５Ａから出力されるようにパワーコンディショナ２Ａに指示する（ステップＳ１２）。換言すると、電力制御装置１０Ａは、当該要求値に基づいて、蓄電池５Ａから出力される電流の電流値（指示値）を各パワーコンディショナ２Ａに指示する。具体例として、たとえば、住戸９Ａから蓄電池５Ａの出力電流の要求値（１０Ａ）を受信した場合、電力制御装置１０Ａは、蓄電池５Ａから１０Ａの電流が出力されるように、パワーコンディショナ２Ａに指示する。この場合、要求値と指示値とは同じになる。
【００６１】
電力制御装置１０Ａは、電流センサ４Ａにより検出された電流値（出力検出値）を受信したか否かを判断する（ステップＳ１４）。電力制御装置１０Ａは、当該出力検出値を受信していない場合には（ステップＳ１４においてＮＯ）、ステップＳ１４の処理を繰り返す。一方、電力制御装置１０Ａは、当該出力検出値を受信した場合には（ステップＳ１４においてＹＥＳ）、蓄電池５Ａについての出力検出値と指示値とが一致するか否かを判断する（ステップＳ１６）。これらが一致する場合には（ステップＳ１６においてＹＥＳ）、電力制御装置１０Ａは、蓄電池５Ａからの電流の出力を継続するようにパワーコンディショナ２Ａに指示する（ステップＳ１８）。これらが一致しない場合には（ステップＳ１６においてＮＯ）、電力制御装置１０Ａは、蓄電池５Ａからの電流の出力を停止するようにパワーコンディショナ２Ａに指示する（ステップＳ１９）。
【００６２】
（その２）
図６は、実施の形態１に従う電力制御装置１０Ａの処理手順（その２）を示すフローチャートである。ここでは、電力制御装置１０Ａが出力要求として住戸９Ａの消費電流値に対する蓄電池５Ａの出力電流値の比率Ｒを受け付ける場合について説明する。ただし、電力制御装置１０Ａが出力要求として比率Ｒｘを受け付ける場合にも、以下の処理において「電流」を「電力」に置き換えた同様の処理が行われる。
【００６３】
図６を参照して、電力制御装置１０Ａは、住戸９Ａから出力要求として住戸９Ａの消費電流値に対する蓄電池５Ａの出力電流値の比率Ｒを受信したか否かを判断する（ステップＳ２０）。電力制御装置１０Ａは、比率Ｒを受信していない場合には（ステップＳ２０においてＮＯ）、ステップＳ２０の処理を繰り返す。
【００６４】
一方、電力制御装置１０Ａは、比率Ｒを受信した場合には（ステップＳ２０においてＹＥＳ）、電流センサ８Ａから住戸９Ａの消費電流値を受信したか否かを判断する（ステップＳ２２）。電力制御装置１０Ａは、当該消費電流値を受信していない場合には（ステップＳ２２においてＮＯ）、ステップＳ２２の処理を繰り返す。一方、電力制御装置１０Ａは、当該消費電流値を受信した場合には（ステップＳ２２においてＹＥＳ）、消費電流値と比率Ｒとに基づいて、蓄電池５Ａから出力される電流の電流値（指示値）を算出する（ステップＳ２４）。電力制御装置１０Ａは、当該算出された指示値に応じた電流が蓄電池５Ａから出力されるようにパワーコンディショナ２Ａに指示する（ステップＳ２６）。具体例として、たとえば、住戸９Ａから比率Ｒ（７５％）を受信し、電流センサ８Ａから消費電流値（１００Ａ）を受信している場合、電力制御装置１０Ａは、蓄電池５Ａから７５Ａの電流が出力されるようにパワーコンディショナ２Ａに指示する。
【００６５】
ステップＳ２８〜ステップＳ３４の処理は、それぞれステップＳ１４〜Ｓ１９の処理と同じであるため、その詳細な説明は繰り返さない。
【００６６】
＜利点＞
実施の形態１によると、各住戸９のユーザは当該住戸９に関連付けられた蓄電池５に対して出力要求をすることができる。また、系統電源６が停電していないときは、住戸９で消費する電力のうち出力要求分の電力は蓄電池５から供給されたとみなされ、残りの電力は系統電源６から供給されたとみなされるため、時間帯に応じて電力供給源を切り替えることでピークシフトやピークカットに貢献することができる。また、各住戸９は、系統電力および蓄電池電力の両方を利用することができるため、蓄電池５の定格電力以上の供給を受けることもできる。
【００６７】
［実施の形態２］
蓄電池５に対して、電力需要の少ない夜間に蓄電し、電力需要の多い昼間に放電するといった制御が行われることによりピークシフトやピークカット効果を得ることができる。この場合、蓄電池５の電池残量は電力需要の多い昼間に利用するためにできるだけ残しておくことが必要となる。また、系統電源６が停電した場合に備えて蓄電池５の電池残量を残しておくことも想定される。
【００６８】
さらに、系統電源６が停電している場合には、住戸９に対する電力供給源は蓄電池５のみとなる。ただし、蓄電池５の電池容量は有限であることから、長時間多くの電力を蓄電池５から住戸９に供給することはできない。また、一般的には、系統電源６が停電から復帰する時間を予測することは困難である。
【００６９】
以上のような場合を考慮して、実施の形態２では、各蓄電池５からの電力供給に関して一定の制限を設けることにより、各蓄電池５から制限なく電力が出力されるのを防止する構成について説明する。
【００７０】
実施の形態２における＜システムの全体構成＞については、実施の形態１のそれと同様であるため、その詳細な説明は繰り返さない。これは、以下の実施の形態３または４においても同様である。
【００７１】
＜電力制御装置１０Ｂの機能構成＞
図７は、実施の形態２に従う電力制御装置１０Ｂの機能構成を示す模式図である。図７を参照して、電力制御装置１０Ｂは、要求入力部１０１Ｂと、消費値入力部１０２Ｂと、指示部１０３Ｂと、電池残量入力部１１０Ｂと、基準値設定部１１１Ｂと、消費判断部１１２Ｂと、機器入力部１１３Ｂと、消費情報記憶部１１４Ｂと、合計値算出部１１５Ｂとを含む。要求入力部１０１Ｂおよび消費値入力部１０２Ｂは、それぞれ要求入力部１０１Ａおよび消費値入力部１０２Ｂと実質的に同一である。ただし、消費値入力部１０２Ｂは、消費判断部１１２Ｂに消費検出値を送出する。
【００７２】
電池残量入力部１１０Ｂは、各蓄電池５の電池残量の入力を受け付ける。具体的には、電池残量入力部１１０Ｂは、各蓄電池５の電池残量を当該蓄電池５を制御しているパワーコンディショナ２から受信する。また、蓄電池５に通信機能が搭載されている場合には、電池残量入力部１１０Ｂは、蓄電池５から電池残量を受信してもよい。なお、電池残量（ＳＯＣ：State  of  Charge）（％）とは、満充電容量に対する現在の残容量を百分率（０〜１００％）で示したものである。さらに、電池残量入力部１１０Ｂは、蓄電池５から蓄電池残容量(Ｗｈ)を受信してもよく、電池残量入力部１１０Ｂにおいて、受信した蓄電池残容量と蓄電池容量からＳＯＣを算出してもよい。
【００７３】
基準値設定部１１１Ｂは、各蓄電池５の電池残量に基づいて、当該蓄電池５に関連付けられた住戸９の消費電流または消費電力の基準値を設定する。具体的には、図８に示すように、基準値設定部１１１Ｂは、当該蓄電池５の電池残量が小さいほど基準値を小さく設定する。
【００７４】
図８は、電池残量と消費電流の基準値との関係性を説明するための図である。図８（ａ）を参照すると、時間が経過するにつれて蓄電池５の電池残量が小さくなっていることがわかる。このように、時間が経過するにつれて蓄電池５の電池残量が小さくなっている場合、図８（ｂ）に示すように、基準値設定部１１１Ｂは消費電流の基準値（消費電流基準値）が小さくするように設定する。
【００７５】
基準値設定部１１１Ｂは、たとえば、電池残量が１００％の場合には消費電流基準値を５Ａに設定し、電池残量が８０％の場合には消費電流基準値を４Ａに設定し、電池残量が５０％の場合には消費電流基準値を２．５Ａに設定する。電池残量と消費電力の基準値との関係性も図８と同様である。具体的には、基準値設定部１１１Ｂは、蓄電池５の電池残量が小さいほど消費電力の基準値を小さく設定する。なお、図８では、蓄電池５の電池残量と基準値とが比例している例について説明したが、これに限られず、蓄電池５の電池残量が小さいほど基準値が小さくなっていればよい。
【００７６】
再び、図７を参照して、基準値設定部１１１Ｂは、基準値が予め定められた値になるように設定してもよい。たとえば、基準値設定部１１１Ｂは、消費電流基準値を蓄電池５の定格電流値に設定する。あるいは、基準値設定部１１１Ｂは、消費電力基準値を蓄電池５の定格電力値に設定する。定格電流値（定格電力値）以上で蓄電池５を動作させると動作不良、故障の原因になるためである。
【００７７】
機器入力部１１３Ｂは、複数の住戸９の各々について、当該住戸９が有している複数の家電機器のうちから選択された１以上の家電機器の識別情報（機器情報）の入力を受け付ける。具体的には、住戸９のユーザにより１以上の家電機器が選択されると、その家電機器の識別情報がタブレット装置から送信される。機器入力部１１３Ｂは、当該家電機器の識別情報の入力を受け付ける（受信する）。機器入力部１１３Ｂは、１以上の家電機器の識別情報を合計値算出部１１５Ｂに送出する。
【００７８】
消費情報記憶部１１４Ｂは、複数の住戸９の各々について、当該住戸９が有している複数の家電機器ごとに当該家電機器の消費電流または消費電力に関する消費情報を記憶する。具体的には、消費情報記憶部１１４Ｂは、住戸９ごとに図９に示すような情報テーブル５００を記憶している。
【００７９】
図９は、実施の形態２に従う情報テーブル５００を示す図である。図９を参照して、情報テーブル５００には、住戸９Ａに設けられている家電機器として冷蔵庫、掃除機、洗濯機およびテレビが登録されている。さらに、情報テーブル５００には、これらの家電機器の消費電流および消費電力が登録されている。なお、消費情報記憶部１１４Ｂには、住戸９Ｂ，９Ｃに対応する情報テーブルも記憶されている。
【００８０】
再び、図７を参照して、合計値算出部１１５Ｂは、各住戸９で選択された１以上の家電機器の識別情報を機器入力部１１３Ｂから受信する。そして、合計値算出部１１５Ｂは、各住戸９について、当該住戸９で選択された１以上の家電機器の消費情報に基づいて、当該１以上の家電機器で消費される電流または電力の合計値を算出する。具体例として、合計値算出部１１５Ｂは、住戸９Ａで選択されたテレビおよび冷蔵庫の識別情報を受信していたとする。この場合、合計値算出部１１５Ｂは、情報テーブル５００を参照して、住戸９Ａの消費電流の合計値を５Ａと算出し、住戸９Ａの消費電力の合計値を５００Ｗと算出する。合計値算出部１１５Ｂは、各住戸９についての当該合計値を消費判断部１１２Ｂに送出する。
【００８１】
消費判断部１１２Ｂは、ある局面では、各住戸９の消費検出値を消費値入力部１０２Ｂから受信し、各住戸９において設定された基準値を基準値設定部１１１Ｂから受信する。消費判断部１１２Ｂは、各住戸９について、当該住戸９の消費検出値が基準値以上であるか否かを判断する。消費判断部１１２Ｂは、判断結果を指示部１０３Ｂに送出する。
【００８２】
消費判断部１１２Ｂは、他の局面では、各住戸９についての合計値を合計値算出部１１５Ｂから受信する。消費判断部１１２Ｂは、各住戸９について、当該住戸９の合計値が基準値以上であるか否かを判断する。
【００８３】
指示部１０３Ｂは、ある局面では、各住戸９について、当該住戸９の消費検出値が基準値以上である場合、当該住戸９に関連付けられた蓄電池５からの出力を停止させる指示をパワーコンディショナ２に与える。指示部１０３Ｂは、他の局面では、各住戸９について、当該住戸９の合計値が基準値以上である場合、当該住戸９に関連付けられた蓄電池５からの出力を停止させる指示をパワーコンディショナ２に与える。
【００８４】
なお、指示部１０３Ｂは、要求入力部１０１Ｂにより住戸９から出力要求が受け付けられている場合であっても、消費判断部１１２Ｂにより当該住戸９の消費検出値（または合計値）が基準値以上であると判断されている場合には、当該住戸９に関連付けられた蓄電池５からの出力を停止させる指示をパワーコンディショナ２に与える。すなわち、指示部１０３Ｂは、要求入力部１０１Ｂにより受け付けられた出力要求よりも消費判断部１１２Ｂの判断結果を優先する。
【００８５】
なお、電力制御装置１０Ｂは、上述した電力制御装置１０Ａの構成である出力値入力部１０４Ａおよび出力判断部１０５Ａのそれぞれと同じ構成を含んでいてもよい。
【００８６】
＜処理手順＞
実施の形態２に従う電力制御装置１０Ｂの処理手順について説明する。ここでは、説明の容易化のため、電力制御装置１０Ｂが住戸９Ａの消費電流値の入力を受け付ける場合（その１）および住戸９Ａで選択された機器情報の入力を受け付ける場合（その２）について説明する。ただし、電力制御装置１０Ｂが住戸９Ｂ，９Ｃから消費電流値（または機器情報）の入力を受け付ける場合、および電力制御装置１０Ｂが住戸９Ａ，９Ｂ，９Ｃから消費電力値（または機器情報）の入力を受け付ける場合にも、以下に説明する処理と同様の処理が行われる。
【００８７】
（その１）
図１０は、実施の形態２に従う電力制御装置１０Ｂの処理手順（その１）を示すフローチャートである。ここでは、系統電源６が停電していないものとする。なお、以下の各ステップは、電力制御装置１０ＢのＣＰＵがメモリに格納されたプログラムを実行することによって実現される。これは図１１においても同様である。
【００８８】
図１０を参照して、電力制御装置１０Ｂは、住戸９Ａの消費電流値を電流センサ８Ａから受信したか否かを判断する（ステップＳ４０）。電力制御装置１０Ｂは、当該消費電流値を受信していない場合には（ステップＳ４０においてＮＯ）、ステップＳ４０の処理を繰り返す。
【００８９】
一方、電力制御装置１０Ｂは、消費電流値を受信した場合には（ステップＳ４０においてＹＥＳ）、消費電流値が住戸９Ａについて設定されている基準値以上か否かを判断する（ステップＳ４２）。消費電流値が基準値未満である場合には（ステップＳ４２においてＮＯ）、電力制御装置１０Ｂは、消費電流値に応じた電流が蓄電池５Ａから出力されるようにパワーコンディショナ２Ａに指示する（ステップＳ４４）。一方、消費電流値が基準値以上である場合には（ステップＳ４２においてＹＥＳ）、電力制御装置１０Ｂは、蓄電池５Ａからの電流の出力を停止するようにパワーコンディショナ２Ａに指示する（ステップＳ４６）。
【００９０】
上記のような処理は、系統電源６の停電後から予め定められた時間以内（たとえば、停電後５分以内）である場合に実行されてもよい。この場合には、電力制御装置１０Ｂは、ステップＳ４２において、停電直前の住戸９Ａの消費電流値が基準値以上か否かを判断する。なお、電力制御装置１０Ｂは、パワーコンディショナ２から系統電源６が停電した旨の通知を受けることにより、系統電源６の停電を把握することができる。または、電力制御装置１０Ｂは、電流センサ８から受信した消費電流に基づいて、停電を検出するように構成されていてもよい。
【００９１】
（その２）
図１１は、実施の形態２に従う電力制御装置１０Ｂの処理手順（その２）を示すフローチャートである。ここでは、系統電源６の停電後から予め定められた時間を超えた（たとえば、停電してから５分を超えた）場面を想定する。
【００９２】
図１１を参照して、電力制御装置１０Ｂは、住戸９Ａで選択された家電機器の識別情報（機器情報）を住戸９Ａから受信したか否かを判断する（ステップＳ５０）。電力制御装置１０Ｂは、機器情報を受信していない場合には（ステップＳ５０においてＮＯ）、ステップＳ５０の処理を繰り返す。
【００９３】
一方、電力制御装置１０Ｂは、機器情報を受信した場合には（ステップＳ５０においてＹＥＳ）、情報テーブル５００を参照して機器情報に対応する家電機器の消費電流の合計値を算出する（ステップＳ５２）。電力制御装置１０Ｂは、算出した合計値が基準値以上か否かを判断する（ステップＳ５４）。合計値が基準値未満である場合には（ステップＳ５４においてＮＯ）、電力制御装置１０Ｂは、合計値に応じた電流が蓄電池５Ａから出力されるようにパワーコンディショナ２Ａに指示する（ステップＳ５６）。一方、合計値が基準値以上である場合には（ステップＳ５４においてＹＥＳ）、電力制御装置１０Ｂは、蓄電池５Ａからの電流の出力を停止するようにパワーコンディショナ２Ａに指示する（ステップＳ５８）。すなわち、電力制御装置１０Ｂは、蓄電池５Ａから電流を出力させないようにパワーコンディショナ２Ａに指示する。
【００９４】
なお、上記処理は、系統電源６が停電していない場合に実行されてもよい。
（変形例）
上記では、各住戸９に対して消費電流または消費電力の基準値を定める構成について説明したが、各住戸９に対して消費電流量（Ａｈ）または消費電力量（Ｗｈ）の基準値を定める構成であってもよい。
【００９５】
具体的には、電力制御装置１０Ｂ（基準値設定部１１１Ｂ）は、蓄電池５の電池残量に基づいて消費電流量の基準値を定める場合には、図１２に示すように、当該蓄電池５の電池残量が小さいほど基準値を小さく設定する。
【００９６】
図１２は、電池残量と消費電流量の基準値との関係性を説明するための図である。なお、電池残量と消費電力量の基準値との関係性も図１２と同じである。時間が経過するにつれて蓄電池５の電池残量が小さくなっている場合（図１２（ａ））、図１２（ｂ）に示すように、基準値設定部１１１Ｂは消費電流量の基準値が小さくなるように設定する。たとえば、基準値設定部１１１Ｂは、電池残量が１００％の場合には基準値を３Ａｈに設定し、電池残量が８０％の場合には基準値を２．４Ａｈに設定し、電池残量が５０％の場合には基準値を１．５Ａｈに設定する。なお、図１２では、蓄電池５の電池残量と基準値とが比例している例について説明したが、これに限られず、蓄電池５の電池残量が小さいほど基準値が小さくなっていればよい。
【００９７】
また、電力制御装置１０Ｂは、各住戸９について、当該住戸９の消費電流量または消費電力量の検出値を表わす消費検出値の入力を受け付ける。あるいは、電力制御装置１０Ｂは、電流センサ８から受信した消費電流値（または電力センサから受信した消費電力値）に基づいて、消費電流量（または消費電力量）を算出してもよい。電力制御装置１０Ｂは、各住戸９について、当該住戸９の消費検出値が当該住戸９の消費電流量または消費電力量の基準値以上であるか否かを判断する。電力制御装置１０Ｂは、当該住戸９の消費検出値が基準値以上である場合、当該住戸９に関連付けられた蓄電池５からの出力を停止させる指示をパワーコンディショナ２に与える。
【００９８】
＜利点＞
実施の形態２によると、各住戸９の消費電流値（または消費電力値）に応じて基準値を設けることにより、各蓄電池５から供給される電流（または電力）を制限することができる。そのため、蓄電池５の電力をより長い間使用することが可能となる。
【００９９】
［実施の形態３］
実施の形態１では、住戸９Ａ〜９Ｃのそれぞれのユーザは、自分の住戸９に関連付けられた蓄電池５に対してのみ出力要求を行なうことができる構成について説明した。しかしながら、住戸９Ａに関連付けられた蓄電池５Ａが使用不可能な状態である場合には、住戸９Ａのユーザは、蓄電池５Ａに対して出力要求をすることはできない。
【０１００】
たとえば、系統電源６が停電している場合に蓄電池５Ａが使用不可能な状態になると、他の蓄電池５からの電力供給を受けない限り住戸９Ａには全く電力が供給されなくなる。そのため、実施の形態３では、住戸９に関連付けられた蓄電池５が使用不可能な状態のときに、当該住戸９の要求を受けて、他の住戸９に関連付けられている他の蓄電池５から電力を供給する構成について説明する。
【０１０１】
ここで、蓄電池５が使用不可能な状態とは、蓄電池５の電池残量が極めて小さい状態（たとえば、電池残量が数％以下）、蓄電池５が故障している状態などである。また、蓄電池５が電気自動車などの移動手段に搭載されている場合には、電気自動車が所定場所（集合住宅の駐車場や給電専用に確保された場所など）に存在せず、実質的に蓄電池５の電力を利用できない状態も、蓄電池５が使用不可能な状態に含まれる。
【０１０２】
なお、以下の説明では、系統電源６が停電している場合を想定して説明するが、系統電源６が停電していない場合であってもよい。
【０１０３】
＜電力制御装置１０Ｃの機能構成＞
図１３は、実施の形態３に従う電力制御装置１０Ｃの機能構成を示す模式図である。図１３を参照して、電力制御装置１０Ｃは、要求入力部１０１Ｃと、消費値入力部１０２Ｃと、指示部１０３Ｃと、出力値入力部１０４Ｃと、電池残量入力部１１０Ｃと、上限値設定部１２０Ｃと、到達時間算出部１２１Ｃと、代替蓄電池選択部１２２Ｃとを含む。
【０１０４】
要求入力部１０１Ｃ、消費値入力部１０２Ｃおよび出力値入力部１０４Ｃは、それぞれ要求入力部１０１Ａ、消費値入力部１０２Ａおよび出力値入力部１０４Ａと実質的に同一である。ただし、出力値入力部１０４Ｃは、指示部１０３Ｃに出力検出値を送出する。また、電池残量入力部１１０Ｃは、電池残量入力部１１０Ｂと実質的に同一である。ただし、電池残量入力部１１０Ｃは、各蓄電池５の電池残量を到達時間算出部１２１Ｃおよび上限値設定部１２０Ｃに送出する。
【０１０５】
到達時間算出部１２１Ｃは、電池残量入力部１１０Ｂから各蓄電池５の電池残量を受信する。到達時間算出部１２１Ｃは、各蓄電池５について、当該蓄電池５の電池残量の時間変化量に基づいて、当該蓄電池５の電池残量が基準残量値に到達する時間（到達時間）を算出する。図１４を参照して、到達時間算出部１２１Ｃの算出方式について具体的に説明する。
【０１０６】
図１４は、複数の蓄電池５の電池残量、時間変化量および電池残量が基準残量値に到達するまでの時間を示す図である。図１４の例では、蓄電池ＩＤ「１」である蓄電池５Ａが使用不可能な状態であるものとする。そのため、図１４には、蓄電池ＩＤ「２」〜「５」の蓄電池５の電池残量に関する情報が示されている。なお、使用不可能な状態の蓄電池５Ａの電池残量は、電池残量入力部１１０Ｃに対して入力されない、あるいは入力されたとしてもその電池残量は蓄電池を使用可能な電池残量（蓄電池使用可能残量）未満（たとえば、数％未満）である。これにより、到達時間算出部１２１Ｃは、蓄電池５Ａが使用不可能な状態であることを把握することができる。
【０１０７】
到達時間算出部１２１Ｃは、各蓄電池５について、電池残量と電池残量の時間変化量とに基づいて、電池残量が基準残量値（ここでは、０％）に到達する時間を算出する。たとえば、蓄電池ＩＤ「２」の蓄電池５Ｂについては、電池残量が８０％、電池残量の時間変化量が１０％／ｈであることから、到達時間は８ｈと算出される。同様に、蓄電池ＩＤ「３」〜「５」の複数の蓄電池５については、それぞれ到達時間は１７ｈ、１６ｈ、８ｈと算出される。到達時間算出部１２１Ｃは、各蓄電池５に対応する到達時間を代替蓄電池選択部１２２Ｃに送出する。
【０１０８】
再び、図１３を参照して、代替蓄電池選択部１２２Ｃは、複数の蓄電池５のうち当該到達時間が最も長い蓄電池５を、使用不可能な状態の蓄電池５の代替蓄電池５として選択する。図１４の例で考えると、代替蓄電池選択部１２２Ｃは、蓄電池ＩＤ「２」〜「５」の複数の蓄電池５のうち、到達時間が最も長い蓄電池ＩＤ「３」の蓄電池５Ｃを代替蓄電池５として選択する。この場合、代替蓄電池選択部１２２Ｃは、蓄電池５Ａの代替蓄電池５が蓄電池５Ｃであることを指示部１０３Ｃに通知する。
【０１０９】
指示部１０３Ｃは、使用不可能な状態の蓄電池５に関連付けられた住戸９（特定住戸９）から受け付けた出力要求に基づいて、電流または電力が代替蓄電池５から出力されるようにパワーコンディショナ２に指示する。図１４の例で考えると、指示部１０３Ｃは、特定住戸９である住戸９Ａから受け付けた出力要求に基づいて、代替蓄電池５として選択された蓄電池５Ｃから電流または電力が出力されるようにパワーコンディショナ２Ｃに指示する。たとえば、蓄電池５Ａの出力電流を１０Ａ（アンペア）にするように住戸９Ａから要求を受け付けていた場合であっても蓄電池５Ａは使用不可能な状態であることから、指示部１０３Ｃは代替蓄電池５である蓄電池５Ｃから１０Ａの電流を出力するようにパワーコンディショナ２Ｃに指示する。
【０１１０】
なお、指示部１０３Ｃは、電池残量入力部１１０Ｃから各蓄電池５の電池残量を受信することにより、蓄電池５Ａが使用不可能な状態であることを把握しておいてもよい。この場合、指示部１０３Ｃは、特定住戸９である住戸９Ａから出力要求を受け付けているとき、当該住戸９Ａ（および住戸９Ｃ）に対して、蓄電池５Ａの代わりに蓄電池５Ｃから電流または電力が出力される旨を通知してもよい。さらに、指示部１０３Ｃは、当該通知に対する住戸９Ａ（および住戸９Ｃ）の承諾を受けた場合に、実際に蓄電池５Ｃから電流または電力を出力するようにパワーコンディショナ２Ｃに指示してもよい。
【０１１１】
上限値設定部１２０Ｃは、特定住戸９の出力要求に応じて代替蓄電池５から出力された電流量または電力量の上限値を設定する。たとえば、上限値は、代替蓄電池５における電池容量の基準割合（たとえば、５０％）分の容量で出力可能な電流量または電力量である。または、上限値は、出力開始前の代替蓄電池５における電池残量の基準割合（たとえば、５０％）分の電池残量で出力可能な電流量または電力量である。基準割合は、ユーザによって任意に定められる。また、上限値は、ユーザなどにより任意に設定された値（すなわち、蓄電池５の電池容量および電池残量を考慮しない具体値）であってもよい。上限値設定部１２０Ｃは、上限値を指示部１０３Ｃに通知する。
【０１１２】
指示部１０３Ｃは、特定住戸９から受け付けた出力要求に応じて代替蓄電池５から出力された電力量または電流量が上限値に到達したか否かを判断する。そして、指示部１０３Ｃは、当該出力された電力量または電流量が上限値に到達したと判断した場合には、特定住戸９から受け付けた出力要求に基づく代替蓄電池５からの出力を停止させる指示をパワーコンディショナ２に与える。
【０１１３】
たとえば、指示部１０３Ｃは、特定住戸９である住戸９Ａからの出力要求に応じて、代替蓄電池５である蓄電池５Ｃから１０Ａの電流を出力するようにパワーコンディショナ２Ｃに指示していたとする。また、上限値は１０Ａｈであるとする。この場合、蓄電池５Ｃから１ｈで出力される電流量は１０Ａｈである。そのため、指示部１０３Ｃは、１時間後に、蓄電池５Ｃからの出力を停止するようにパワーコンディショナ２Ｃに指示する。
【０１１４】
＜処理手順＞
実施の形態３に従う電力制御装置１０Ｃの処理手順について説明する。ここでは、説明の容易化のため、住戸９Ａに関連付けられた蓄電池５Ａが使用不可能な状態であるとし、電力制御装置１０Ｃが住戸９Ａから出力要求（出力電流の要求値）を受け付けている場合について説明する。
【０１１５】
図１５は、実施の形態３に従う電力制御装置１０Ｃの処理手順を示すフローチャートである。なお、以下の各ステップは、電力制御装置１０ＣのＣＰＵがメモリに格納されたプログラムを実行することによって実現される。
【０１１６】
図１５を参照して、電力制御装置１０Ｃは、各蓄電池５の電池残量を受信したか否かを判断する（ステップＳ７２）。電力制御装置１０Ｃは、各蓄電池５の電池残量を受信していない場合には（ステップＳ７２おいてＮＯ）、ステップＳ７２の処理を繰り返す。一方、電力制御装置１０Ｃは、各蓄電池５の電池残量を受信した場合には（ステップＳ７２おいてＹＥＳ）、各蓄電池５について、当該蓄電池５の電池残量が基準残量値（ここでは０％とする）に到達する時間（到達時間）を算出する（ステップＳ７４）。
【０１１７】
電力制御装置１０Ｃは、各蓄電池５のうち到達時間が最も長い蓄電池５を代替蓄電池５として選択する（ステップＳ７６）。ここでは、図１４の例に従って、代替蓄電池５が蓄電池５Ｃであるとする。電力制御装置１０Ｃは、住戸９Ａから受け付けていた出力要求に応じた電流が蓄電池５Ｃから出力されるようにパワーコンディショナ２Ｃに指示する（ステップＳ７８）。
【０１１８】
電力制御装置１０Ｃは、住戸９Ａの出力要求に応じて蓄電池５Ｃから出力された電流量が上限値に到達したか否かを判断する（ステップＳ８０）。当該電流量が上限値に到達していない場合には（ステップＳ８０においてＮＯ）、電力制御装置１０ＣはステップＳ８０の処理を繰り返す。すなわち、住戸９Ａの出力要求に応じた蓄電池５Ｃからの電流の出力が継続される。一方、当該電流量が上限値に到達した場合には（ステップＳ８０においてＹＥＳ）、電力制御装置１０Ｃは、住戸９Ａの出力要求に応じた蓄電池５Ｃからの電流の出力を停止するようにパワーコンディショナ２Ｃに指示する（ステップＳ８２）。
【０１１９】
＜利点＞
実施の形態３によると、住戸９に関連付けられている蓄電池５が使用不可能な状態であった場合でも、当該住戸９の要求に応じて、他の住戸９に関連付けられている他の蓄電池５に電力を供給させることができる。これにより、たとえば、系統電源６が停電している場合には、住戸９のユーザは所有する蓄電池５が使用不可能な状態であったとしても、他の蓄電池５から電力を融通してもらうことができる。また、系統電源６が停電していない場合でも、系統電源６の電力を利用せずに他の蓄電池５からの電力を利用することになるため、ピークカットに貢献することができる。
【０１２０】
［実施の形態４］
実施の形態３では、使用不可能な状態の蓄電池５に関連付けられた特定住戸９からの出力要求に応じて代替蓄電池５から電流または電力を出力する構成について説明した。実施の形態４では、特定住戸９に関連付けられた蓄電池５が使用不可能な状態から使用可能な状態に復帰した場合に、代替蓄電池５に関連付けられた住戸９の出力要求に応じて当該復帰した蓄電池５から電流または電力を出力する構成について説明する。
【０１２１】
また、実施の形態４では、使用不可能な状態の蓄電池５に関連付けられた特定住戸９からの出力要求に応じて代替蓄電池５から出力した電流量または電力量に対する課金処理を行なう構成について説明する。なお、実施の形態４では、系統電源６が停電しておらず、パワーコンディショナ２が連系運転を行なっているものとする。
【０１２２】
＜電力制御装置１０Ｄの機能構成＞
図１６は、実施の形態４に従う電力制御装置１０Ｄの機能構成を示す模式図である。図１６を参照して、電力制御装置１０Ｄは、要求入力部１０１Ｄと、消費値入力部１０２Ｄと、指示部１０３Ｄと、出力値入力部１０４Ｄと、電池残量入力部１１０Ｄと、上限値設定部１２０Ｄと、到達時間算出部１２１Ｄと、代替蓄電池選択部１２２Ｄと、課金処理部１３０Ｄとを含む。
【０１２３】
要求入力部１０１Ｄ、消費値入力部１０２Ｄ、出力値入力部１０４Ｄ、電池残量入力部１１０Ｄ、上限値設定部１２０Ｄ、到達時間算出部１２１Ｄおよび代替蓄電池選択部１２２Ｄは、それぞれ要求入力部１０１Ｃ、消費値入力部１０２Ｃ、出力値入力部１０４Ｃ、電池残量入力部１１０Ｃ、上限値設定部１２０Ｃ、到達時間算出部１２１Ｃおよび代替蓄電池選択部１２２Ｃと実質的に同一である。
【０１２４】
指示部１０３Ｄは、電池残量入力部１１０Ｄから受信した各蓄電池５の電池残量に基づいて、使用不可能な状態であった蓄電池５（ここでは、蓄電池５Ａとする）が使用可能な状態に復帰したことを把握する。たとえば、指示部１０３Ｄは、使用不可能な状態であった蓄電池５Ａの電池残量が蓄電池使用可能残量以上になった場合に、当該蓄電池５Ａが使用可能な状態に復帰したと判断する。そして、指示部１０３Ｄは、代替蓄電池５に関連付けられた住戸９から受け付けた出力要求に基づいて、当該復帰した蓄電池５から電流または電力が出力されるようにパワーコンディショナ２に指示する。
【０１２５】
具体的には、指示部１０３Ｄは、蓄電池５Ａが使用不可能な状態であったときに、特定住戸９である住戸９Ａからの出力要求に応じて代替蓄電池５から出力された電流量または電力量を図１７に示すような情報テーブル６００として記憶している。
【０１２６】
図１７は、実施の形態４に従う情報テーブル６００を示す図である。情報テーブル６００には、蓄電池５Ａが使用不可能な状態であったときに住戸９Ａの出力要求に応じて、代替蓄電池５から出力された電力量が示されている。具体的には、蓄電池５Ａの代替蓄電池５として、蓄電池ＩＤ「２」〜ＩＤ「５」の複数の蓄電池５のそれぞれから２ｋＷｈ、３ｋＷｈ、２ｋＷｈ、１ｋＷｈの電力量が出力されたことを示している。
【０１２７】
また、情報テーブル６００には、代替蓄電池５に関連付けられた住戸９の出力要求に応じて、復帰した蓄電池５Ａが出力すべき電力量が示されている。具体的には、蓄電池ＩＤ「２」の蓄電池５Ｂからは、特定住戸９である住戸９Ａの出力要求に応じて２ｋＷｈの電力量が出力されている。そのため、蓄電池５Ｂに関連付けられた住戸９Ｂからの出力要求に応じて、２ｋＷｈに定数Ｘ（たとえば、１．５）を乗じた３ｋＷｈの電力量を蓄電池５Ａから出力する必要がある。なお、定数Ｘは、Ｘ≧１であるとし、マンション１１の管理者などにより任意に定められる。すなわち、代替蓄電池５が出力した電力量以上の電力量を復帰した蓄電池５Ａは出力する必要がある。
【０１２８】
同様に、蓄電池５Ａは、蓄電池ＩＤ「３」の蓄電池５Ｃに関連付けられた住戸９Ｃからの出力要求に応じて４．５ｋＷｈの電力量を出力する必要がある。蓄電池５Ａは、蓄電池ＩＤ「４」の蓄電池５に関連付けられた住戸９からの出力要求に応じて３ｋＷｈの電力量を出力する必要がある。蓄電池５Ａは、蓄電池ＩＤ「５」の蓄電池５に関連付けられた住戸９からの出力要求に応じて１．５ｋＷｈの電力量を出力する必要がある。
【０１２９】
そのため、指示部１０３Ｄは、たとえば、蓄電池５Ｂに関連付けられた住戸９Ｂから受け付けた出力要求に基づいて、当該復帰した蓄電池５Ａから３ｋＷｈ分の電力量を出力するようにパワーコンディショナ２Ａに指示する。
【０１３０】
再び、図１６を参照して、指示部１０３Ｄは、別の局面では、特定住戸９からの出力要求に応じて代替蓄電池５から出力された電流量または電力量を課金処理部１３０Ｄに送出する。そして、課金処理部１３０Ｄは、当該電力量または電流量に対して課金処理を行なう。具体的には、課金処理部１３０Ｄは、図１８に示す情報テーブル７００に従って課金処理を行なう。
【０１３１】
図１８は、実施の形態４に従う情報テーブル７００を示す図である。情報テーブル７００には、情報テーブル６００と同じように、蓄電池５Ａの代替蓄電池５として、蓄電池ＩＤ「２」〜ＩＤ「５」の複数の蓄電池５のそれぞれから２ｋＷｈ、３ｋＷｈ、２ｋＷｈ、１ｋＷｈの電力量が出力されたことが示されている。そして、課金処理部１３０Ｄは、これらの電力量と電気料金の単価情報（たとえば、２０円／ｋＷｈ）と定数Ｙ（たとえば、１．５）とに基づいて、課金処理を行なう。なお、定数Ｙは、Ｙ≧１であるとし、マンション１１の管理者などにより任意に定められる。
【０１３２】
たとえば、蓄電池５Ａの代替蓄電池５として、蓄電池５Ｂからは２ｋＷｈの電力量が出力されている。そのため、課金処理部１３０Ｄは、住戸９Ａ（のユーザ）に対する請求金額として６０円を算出し、当該金額を住戸９Ａから住戸９Ｂに対して支払うように支払い決済処理を行なう。同様に、住戸９Ａは、蓄電池ＩＤ「２」〜ＩＤ「５」に関連付けられた住戸９に、それぞれ９０円、６０円、３０円を支払う必要がある。
【０１３３】
＜処理手順＞
実施の形態４に従う電力制御装置１０Ｄの処理手順について説明する。ここでは、説明の容易化のため、住戸９Ａに関連付けられた蓄電池５Ａが使用不可能な状態から使用可能な状態に復帰したものとする。また、代替蓄電池５として機能していた蓄電池５Ｃに関連付けられた住戸９Ｃから出力要求（出力電力の要求値）を受け付けるものとする。
【０１３４】
図１９は、実施の形態４に従う電力制御装置１０Ｄの処理手順を示すフローチャートである。なお、以下の各ステップは、電力制御装置１０ＤのＣＰＵがメモリに格納されたプログラムを実行することによって実現される。ここでは、系統電源６が停電しておらず、パワーコンディショナ２が連系運転を行なっているものとする。
【０１３５】
図１９を参照して、電力制御装置１０Ｄは、使用不可能な状態である蓄電池５Ａが使用可能な状態に復帰したか否かを判断する（ステップＳ１００）。蓄電池５Ａが使用不可能な状態である場合には（ステップＳ１００においてＮＯ）、電力制御装置１０ＤはステップＳ１００の処理を繰り返す。一方、蓄電池５Ａが使用可能な状態に復帰した場合には（ステップＳ１００においてＹＥＳ）、電力制御装置１０Ｄは復帰した蓄電池５Ａが出力すべき電力量（必要電力量）を算出する（ステップＳ１０２）。具体的には、代替蓄電池５が蓄電池５Ｃであることから、電力制御装置１０Ｄは、住戸９Ｃの出力要求に応じて蓄電池５Ａが出力すべき電力量を算出する。
【０１３６】
電力制御装置１０Ｄは、住戸９Ｃからの出力要求を受信したか否かを判断する（ステップＳ１０４）。電力制御装置１０Ｄは、当該出力要求を受信していない場合には（ステップＳ１０４においてＮＯ）、ステップＳ１０４の処理を繰り返す。一方、電力制御装置１０Ｄは、当該出力要求を受信した場合には（ステップＳ１０４においてＹＥＳ）、出力要求に応じた電力が復帰した蓄電池５Ａから出力されるようにパワーコンディショナ２Ａに指示する（ステップＳ１０６）。
【０１３７】
電力制御装置１０Ｄは、住戸９Ｃの出力要求に応じて蓄電池５Ａから出力された電力量がステップＳ１０２で算出した必要電力量に到達したか否かを判断する（ステップＳ１０８）。当該出力された電力量が必要電力量に到達していない場合には（ステップＳ１０８においてＮＯ）、電力制御装置１０ＤはステップＳ１０８の処理を繰り返す。一方、当該出力された電力量が必要電力量に到達した場合には（ステップＳ１０８においてＹＥＳ）、電力制御装置１０Ｄは、住戸９Ｃの出力要求に応じた蓄電池５Ａからの電力の出力を停止するようにパワーコンディショナ２Ａに指示する（ステップＳ１１０）。
【０１３８】
上記において、電力制御装置１０Ｄは、蓄電池５Ａが復帰したことを住戸９Ｃに通知しておき、当該通知を受けた住戸９Ｃから蓄電池５Ａに対する出力要求を受け付けてもよい。あるいは、電力制御装置１０Ｄは、住戸９Ｃから蓄電池５Ｃに対する出力要求を受け付けた場合であっても、優先的に蓄電池５Ａから電力するようにパワーコンディショナ２Ａに指示してもよい。
【０１３９】
＜利点＞
実施の形態４では、代替蓄電池５を所有する（関連付けられた）住戸９は、代替蓄電池５の電力を利用した特定住戸９が所有する蓄電池５に対して、出力要求を行なうことができる。また、代替蓄電池５を所有する住戸９は、特定住戸９に対して利用した電力量に応じて料金を請求することもできる。そのため、住戸９は、特定住戸９に対して代替蓄電池５の電力を利用させるメリットもある。
【０１４０】
［その他の実施の形態］
上述した実施の形態では、住戸９と蓄電池５とが１対１で関連付けられている構成について説明した。しかしながら、１つの住戸９に対して複数の蓄電池５が関連付けられていてもよい。この場合、住戸９は複数の蓄電池５に対して出力要求を行なうことができる。たとえば、電力制御装置１０が住戸９から２つの蓄電池５に対する出力要求を受け付けた場合、一方の蓄電池５の出力要求分と他方の蓄電池５に対する出力要求分との合計が当該住戸９からの全出力要求分となる。
【０１４１】
また、複数の住戸９に対して１つの蓄電池５が関連付けられていてもよい。複数の住戸９は当該蓄電池５に対して出力要求を行なうことができる。たとえば、電力制御装置１０が２つの住戸９から１つの蓄電池５に対する出力要求を受け付けた場合、一方の住戸９の出力要求分と他方の住戸９の出力要求分との合計が当該蓄電池５に対する全出力要求分となる。そのため、電力制御装置１０は、当該全出力要求分に対応する電流または電力が、当該蓄電池５から出力されるようにパワーコンディショナ２に指示する。
【０１４２】
このことから、少なくとも１つのパワーコンディショナ２が複数の蓄電池５を制御するように構成されていればよい。
【０１４３】
また、上述した実施の形態では、１つのパワーコンディショナ２に対して１つの蓄電池５が接続されている構成について説明した。しかしながら、１つのパワーコンディショナ２に複数の蓄電池５が接続されている構成であってもよい。この場合、パワーコンディショナ２は、蓄電池５の個数に対応する双方向ＤＣ／ＡＣ変換器２２および双方向ＤＣ／ＤＣ変換器２４を有する。制御装置２０は１つであってもよい。
【０１４４】
また、上述した実施の形態では、パワーコンディショナ２が双方向ＤＣ／ＡＣ変換器２２を有する構成について説明した。しかしながら、パワーコンディショナ２は、双方向ＤＣ／ＡＣ変換器２２の代わりに、ＡＣ／ＤＣ変換器とＤＣ／ＡＣ変換器とを有していてもよい。
【０１４５】
［まとめ］
本発明の実施の形態は次のように要約することができる。
【０１４６】
（１）複数の蓄電池５を制御する少なくとも１つのパワーコンディショナ２からマンション１１の複数の住戸９に供給される電力を制御する電力制御装置１０であって、複数の住戸９の各々は、複数の蓄電池５の少なくとも１つと関連付けられている。電力制御装置１０は、複数の住戸９の各々から、当該住戸９と関連付けられた蓄電池５の出力電流または出力電力に関する出力要求を受け付ける要求入力部１０１Ａと、少なくとも１つのパワーコンディショナ２に対して、複数の住戸９の各々から受け付けた出力要求に応じた電流または電力が複数の蓄電池５の各々から出力されるように指示する指示部１０３Ａとを含む。
【０１４７】
上記構成によると、各住戸９のユーザは当該住戸９に関連付けられた蓄電池５に対して出力要求をすることができる。そして、出力要求に応じた電流または電力が蓄電池５から出力される。これにより、集合住宅の複数の住戸に対して、複数の蓄電池からの電力を簡易かつ適切に供給することが可能となる。
【０１４８】
（２）要求入力部１０１Ａは、蓄電池５の出力電流に関する出力要求として、蓄電池５の出力電流の要求値、または住戸９の消費電流値に対する蓄電池５の出力電流値の比率Ｒを受け付ける。要求入力部１０１Ａは、蓄電池５の出力電力に関する出力要求として、蓄電池５の出力電力の要求値、または住戸９の消費電力値に対する蓄電池５の出力電力値の比率Ｒｘを受け付ける。
【０１４９】
上記構成によると、住戸９のユーザはさまざまな形態で出力要求を電力制御装置１０に対して行なうことができる。
【０１５０】
（３）電力制御装置１０Ａは、複数の蓄電池５の各々について、当該蓄電池５の出力電流または出力電力の検出値を表わす出力検出値の入力を受け付ける出力値入力部１０４Ａと、複数の蓄電池５の各々についての出力検出値に基づいて、複数の住戸９の各々から受け付けた出力要求に応じた電流または電力が複数の蓄電池５の各々から出力されているか否かを判断する出力値入力部１０５Ａとをさらに含む。出力要求に応じた電流または電力が当該蓄電池５から出力されていない場合、指示部１０３Ａは、当該蓄電池５からの出力を停止させる指示を少なくとも１つのパワーコンディショナ２に与える。
【０１５１】
上記構成によると、住戸９からの出力要求に応じた電流または電力が蓄電池５から出力されていない場合に蓄電池５の出力を停止させることができる。これにより、蓄電池５の異常を迅速に発見することができる。また、住戸９が要求した分の電力が出力されていないにも関わらず、蓄電池５から出力されたとみなされることがなくなるため、当該住戸９のユーザに不利益を与えることがない。
【０１５２】
（４）電力制御装置１０Ｂは、複数の住戸９の各々について、当該住戸９の消費電流または消費電力の検出値を表わす消費検出値の入力を受け付ける消費値入力部１０２Ｂと、複数の住戸９の各々について、当該住戸９の消費検出値が当該住戸９の消費電流または消費電力の基準値以上であるか否かを判断する消費判断部１１２Ｂとをさらに含む。当該住戸９の消費検出値が基準値以上である場合、指示部１０３Ｂは、当該住戸９に関連付けられた蓄電池５からの出力を停止させる指示を少なくとも１つのパワーコンディショナ２に与える。
【０１５３】
上記構成によると、各蓄電池５から供給される電流（または電力）を制限することができるため、蓄電池５の電力を長い間使用することが可能となる。
【０１５４】
（５）電力制御装置１０Ｂは、複数の蓄電池５の各々の電池残量の入力を受け付ける電池残量入力部１１０Ｂと、複数の蓄電池５の各々の電池残量に基づいて、当該蓄電池５に関連付けられた当該住戸９の基準値を設定する基準値設定部１１１Ｂとをさらに含む。基準値設定部１１１Ｂは、当該蓄電池５の電池残量が小さいほど基準値を小さく設定する。
【０１５５】
上記構成によると、各蓄電池５の電池残量を考慮して基準値が設定されるため、蓄電池５の電力をより長い間使用することが可能となる。
【０１５６】
（６）電力制御装置１０Ｂは、複数の住戸９の各々について、当該住戸９が有している複数の家電機器ごとに当該家電機器の消費電流または消費電力に関する消費情報を記憶する消費情報記憶部１１４Ｂと、複数の住戸９の各々について、当該住戸９が有している複数の家電機器のうちから選択された１以上の家電機器の消費情報に基づいて、当該１以上の家電機器で消費される電流または電力の合計値を算出する合計値算出部１１５Ｂと、複数の住戸９の各々について、当該住戸９において選択された当該１以上の家電機器の合計値が当該住戸９の消費電流または消費電力の基準値以上であるか否かを判断する消費判断部１１２Ｂとをさらに含む。当該住戸９の合計値が基準値以上である場合、指示部１０３Ｂは、当該住戸９に関連付けられた蓄電池５からの出力を停止させる指示を少なくとも１つのパワーコンディショナ２に与える。
【０１５７】
上記構成によると、住戸９のユーザが使用する機器の消費電流（電力）を考慮して各蓄電池５から供給される電流（または電力）を制限することができる。また、これにより蓄電池５の電力をより長い間使用することが可能となる。
【０１５８】
（７）電力制御装置１０Ｂは、複数の住戸９の各々について、当該住戸９の消費電流量または消費電力量の検出値を表わす消費検出値の入力を受け付ける消費値入力部１０２Ｂと、複数の住戸９の各々について、当該住戸９の消費検出値が当該住戸９の消費電流量または消費電力量の基準値以上であるか否かを判断する消費判断部１１２Ｂとをさらに含む。当該住戸９の消費検出値が基準値以上である場合、指示部１０３Ｂは、当該住戸９に関連付けられた蓄電池５からの出力を停止させる指示を少なくとも１つのパワーコンディショナ２に与える。
【０１５９】
上記構成によると、各蓄電池５から供給される電流（または電力）を制限することができるため、蓄電池５の電力を長い間使用することが可能となる。
【０１６０】
（８）電力制御装置１０Ｃは、複数の蓄電池５の各々の電池残量の入力を受け付ける電池残量入力部１１０Ｃと、複数の蓄電池５の各々について、当該蓄電池５の電池残量の時間変化量に基づいて、当該蓄電池５の電池残量が基準残量値以下になる到達時間を算出する到達時間算出部１２１Ｃと、複数の蓄電池５のうち到達時間が最も長い蓄電池５を、複数の蓄電池５のうち使用不可能な状態の蓄電池５の代替蓄電池５として選択する代替蓄電池選択部１２２Ｃと、指示部１０３Ｃは、使用不可能な状態の蓄電池５に関連付けられた住戸９を表わす特定住戸９から受け付けた出力要求に基づいて、電流または電力が代替蓄電池５から出力されるように少なくとも１つのパワーコンディショナ２に指示する。
【０１６１】
上記構成によると、特定住戸９は、自身に関連付けられていない代替蓄電池５に対して出力要求をすることにより、代替蓄電池５から電流（電力）を出力させることができる。また、将来的に電池残量が最も残っていると予想される蓄電池５が代替蓄電池として選択される。そのため、代替蓄電池５の電池残量がすぐになくなってしまうこともない。
【０１６２】
（９）特定住戸９から受け付けた出力要求に応じて代替蓄電池５から出力された電力量または電流量が上限値に到達した場合、指示部１０３Ｃは、特定住戸９から受け付けた出力要求に基づく代替蓄電池５からの出力を停止させる指示を少なくとも１つのパワーコンディショナ２に与える。
【０１６３】
上記構成によると、必要以上に代替蓄電池５から電流または電力が出力されるのを防止することができる。
【０１６４】
（１０）使用不可能な状態の蓄電池５が使用可能な状態に復帰した場合、指示部１０３Ｄは、代替蓄電池５に関連付けられた住戸９から受け付けた出力要求に基づいて、電流または電力が当該復帰した蓄電池５から出力されるように少なくとも１つのパワーコンディショナ２に指示する。
【０１６５】
上記構成によると、代替蓄電池５に関連付けられた住戸９のユーザは、復帰した蓄電池５に対して出力要求を行なうことにより、復帰した蓄電池５から電流または電力を出力させることができる。
【０１６６】
（１１）電力制御装置１０Ｄは、特定住戸９から受け付けた出力要求に応じて代替蓄電池５から出力された電力量または電流量に対する課金処理を行なう課金処理部１３０をさらに含む。
【０１６７】
上記構成によると、代替蓄電池５に関連付けられた住戸９のユーザは、代替蓄電池５が出力した電流量（または電力量）に対する対価を特定住戸９に対して請求することができる。
【０１６８】
（１２）複数の蓄電池５と、複数の蓄電池５を制御する少なくとも１つのパワーコンディショナ２と、少なくとも１つのパワーコンディショナ２からマンション１１の複数の住戸９に供給される電力を制御する電力制御装置１０とを備えた電力システムであって、複数の住戸９の各々は、複数の蓄電池５の少なくとも１つと関連付けられている。電力制御装置１０Ａは、複数の住戸９の各々から、当該住戸９と関連付けられた蓄電池５の出力電流または出力電力に関する出力要求を受け付ける要求入力部１０１Ａと、少なくとも１つのパワーコンディショナ２に対して、複数の住戸９の各々から受け付けた出力要求に応じた電流または電力が複数の蓄電池５の各々から出力されるように指示する指示部１０３Ａとを含む。
【０１６９】
上記構成によると、各住戸９のユーザは当該住戸９に関連付けられた蓄電池５に対して出力要求をすることができる。そして、出力要求に応じた電流または電力が蓄電池５から出力される。これにより、集合住宅の複数の住戸に対して、複数の蓄電池からの電力を簡易かつ適切に供給することが可能となる。
【０１７０】
上述の実施の形態として例示した構成は、本発明の構成の一例であり、別の公知の技術と組み合わせることも可能であるし、本発明の要旨を逸脱しない範囲で、一部を省略する等、変更して構成することも可能である。
【０１７１】
また、上述した実施の形態において、他の実施の形態で説明した処理や構成を適宜採用して実施する場合であってもよい。
【０１７２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１７３】
２  パワーコンディショナ、３  分電盤、４，８  電流センサ、５  蓄電池、６  系統電源、７  交流電力線、９  住戸、１０  電力制御装置、１１  マンション、２０  制御装置、２２  双方向ＤＣ／ＡＣ変換器、２４  双方向ＤＣ／ＤＣ変換器、７１，７２，７３，７５  配線、１０１Ａ〜１０１Ｄ  要求入力部、１０２Ａ〜１０２Ｄ  消費値入力部、１０３Ａ〜１０３Ｄ  指示部、１０４Ａ〜１０４Ｄ  出力値入力部、１０５Ａ  出力判断部、１１０Ｂ，１１０Ｃ，１１０Ｄ  電池残量入力部、１１１Ｂ  基準値設定部、１１２Ｂ  消費判断部、１１３Ｂ  機器入力部、１１４Ｂ  消費情報記憶部、１１５Ｂ  合計値算出部、１２０Ｃ，１２０Ｄ  上限値設定部、１２１Ｃ，１２１Ｄ  到達時間算出部、１２２Ｃ，１２２Ｄ  代替蓄電池選択部、１３０Ｄ  課金処理部、５００，６００，７００  情報テーブル。
【図１】
0006436759.tif 000002
【図２】
0006436759.tif 000003
【図３】
0006436759.tif 000004
【図４】
0006436759.tif 000005
【図５】
0006436759.tif 000006
【図６】
0006436759.tif 000007
【図７】
0006436759.tif 000008
【図８】
0006436759.tif 000009
【図９】
0006436759.tif 000010
【図１０】
0006436759.tif 000011
【図１１】
0006436759.tif 000012
【図１２】
0006436759.tif 000013
【図１３】
0006436759.tif 000014
【図１４】
0006436759.tif 000015
【図１５】
0006436759.tif 000016
【図１６】
0006436759.tif 000017
【図１７】
0006436759.tif 000018
【図１８】
0006436759.tif 000019
【図１９】
0006436759.tif 000020